(57)【要約】  【課題】１以上の物品を１単位として物理的に取り扱い且つデータ管理する際に極めて利便性の高い綴じ具供給装置を提供する。  【解決手段】綴じ具供給装置たるステープラＡ１に、１以上の物品たる枚葉Ｐを１単位とする単位物品たる書類ＤＣとして綴じる綴じ具Ａａを少なくとも１以上格納する綴じ具格納部Ａ１３から綴じ具Ａａを当該書類ＤＣごとに１つずつ供給する綴じ具供給手段Ａ１Ａと、固有の識別子を記憶する記憶媒体Ａｂを書類ＤＣごとに１つずつ添付する記憶媒体供給手段Ａ１Ｂと、記憶媒体供給手段Ａ１Ｂにより書類ＤＣに対して添付される記憶媒体Ａｂにアクセスして当該記憶媒体Ａｂに記憶されている識別子を読み取り若しくは記憶媒体Ａｂに識別子を書き込み又は記憶媒体Ａｂに識別子を読み書きする記憶媒体アクセス手段Ａ１Ｃとを設けた。【選択図】図１
2005211998.tif 000002
【特許請求の範囲】
【請求項１】
複数の物品又は単一の物品を１単位とする単位物品として綴じる綴じ具を少なくとも１以上格納する綴じ具格納部から綴じ具を当該単位物品ごとに１つずつ供給する綴じ具供給手段と、固有の識別子を記憶する記憶媒体を前記単位物品につき１つずつ添付する記憶媒体供給手段と、前記記憶媒体供給手段により前記単位物品に対して添付される記憶媒体にアクセスして当該記憶媒体に記憶されている識別子を読み取り若しくは記憶媒体に識別子を書き込み又は記憶媒体に識別子を読み書きする記憶媒体アクセス手段とを具備してなることを特徴とする綴じ具供給装置。
【請求項２】
前記記憶媒体が、綴じ具に予め一体的に付帯させたものであって、前記綴じ具供給手段における単位物品への綴じ具による綴じ込み動作と共に、前記記憶媒体の添付がなされるようにしている請求項１記載の綴じ具供給装置。
【請求項３】
前記記憶媒体が、綴じ具とは別体をなす基材に付帯させたものであり、前記記憶媒体供給手段が、前記基材を格納する基材格納部から前記単位物品に対し当該基材を１つずつ添付することにより記憶媒体を添付するものである請求項１記載の綴じ具供給装置。
【請求項４】
前記綴じ具供給手段における単位物品への綴じ具による綴じ込み動作と、前記記憶媒体供給手段における単位物品への記憶媒体及び基材の添付動作とを連動させる動作連動手段を具備している請求項３記載の綴じ具供給装置。
【請求項５】
前記基材が、前記基材格納部に一枚ずつ積層した状態で格納され且つ一枚ずつ前記単位物品に添付される枚葉である請求項３又は４記載の綴じ具供給装置。
【請求項６】
前記基材が、前記基材格納部に巻回した状態で格納され且つ前記記憶媒体を付帯させたロールシートから当該記憶媒体が少なくとも１つ以上含まれるように離脱されるシート片である請求項３又は４記載の綴じ具供給装置。
【請求項７】
前記記憶媒体供給手段が、前記基材格納部内に残存し単位物品には未添付の基材及び記憶媒体を、前記記憶媒体アクセス手段による当該未添付の記憶媒体へのアクセスが不能な距離まで前記単位物品に添付された基材及び記憶媒体から離間させる分離手段を備えている請求項３、４、５又は６記載の綴じ具供給装置。
【請求項８】
前記基材が、単位物品の一部に貼着されるシール面を有するものであり、前記記憶媒体供給手段が、前記シール面を単位物品の一部に貼着させた状態に当該基材を添付する機能を有している請求項３、４、５、６又は７記載の綴じ具供給装置。
【請求項９】
前記綴じ具供給手段が、綴じ具によって前記記憶媒体供給手段において単位物品に添付された基材を当該単位物品と共に綴じ込むものである請求項３、４、５、６又は７記載の綴じ具供給装置。
【請求項１０】
前記綴じ具供給手段において綴じ具により単位物品を綴じるべき所定の綴じ位置に当該単位物品が存在することを検知する検知手段を更に具備し、前記記憶媒体アクセス手段が、前記検知手段において前記所定の綴じ位置に単位物品が存在することを検知している場合にのみ記憶媒体へのアクセス機能が作動するようにしている請求項１、２、３、４、５、６、７、８又は９記載の綴じ具供給装置。
【請求項１１】
前記綴じ具供給手段において綴じ具を単位物品へ供給する動作を検知する綴じ具供給検知手段を更に具備し、前記記憶媒体アクセス手段が、綴じ具供給検知手段において綴じ具を供給する動作を検知している場合にのみ記憶媒体へのアクセス機能が作動するようにしている請求項１、２、３、４、５、６、７、８又は９記載の綴じ具供給装置。
【請求項１２】
前記記憶媒体アクセス手段で読み取った又は書き込んだ識別子を外部の情報処理機器へ送信する識別子送信手段を更に具備している請求項１、２、３、４、５、６、７、８、９、１０又は１１記載の綴じ具供給装置。
【請求項１３】
既に単位物品に添付された記憶媒体に記憶されている識別子を読み取り若しくは記憶媒体に識別子を書き込み又は記憶媒体に対し識別子を読み書きする第２記憶媒体アクセス手段を更に具備し、前記識別子送信手段が、第２記憶媒体アクセス手段で読み取った又は書き込んだ識別子をも外部の情報処理機器へ送信するものである請求項１２記載の綴じ具供給装置。
【請求項１４】
前記記憶媒体アクセス手段が、前記記憶媒体から読み込んだ識別子を一時的に蓄積する一時記憶部を具備するものであり、且つ、前記綴じ具供給手段による単位物品への綴じ具の供給動作に伴って前記一時記憶部に蓄積した識別子を読み込むものである請求項１、２、３、４、５、６、７、８、９、１０、１１、１２又は１３記載の綴じ具供給装置。
【請求項１５】
前記識別子が、数字、文字等の所定の順序が定まった記号を含むものであり、前記記憶媒体アクセス手段が、複数の識別子を同時に読み込んだ場合に、それら複数の識別子のうち前記所定の順序の先頭又は末尾の記号を有する１の識別子を前記綴じ具供給手段で綴じ具を供給した単位物品に割り当てる機能を有している請求項１、２、３、４、５、６、７、８、９、１０、１１、１２、１３又は１４記載の綴じ具供給装置。
【発明の詳細な説明】
【技術分野】
【０００１】
本発明は、１以上の物品を１つに纏めて綴じるための綴じ具を供給する綴じ具供給装置に関するものである。
【背景技術】
【０００２】
近年、固有の識別子を記憶したＩＣチップ等の記憶媒体を物品に取り付けて当該物品を管理するという技術が注目されてきている（例えば、特許文献１参照）。同文献に記載のものは、携帯端末を物品に押し付けることにより、当該端末に収納されたＩＣチップを物品に貼り付け、その貼り付け時にＩＣチップから識別子を読み取るようにするというものである。このようにすることで、ＩＣチップに記憶させた識別子とそれを貼付した物品を１対１で個別に対応させて、電子データによる物品管理の効率化が図られるようになされている。
【特許文献１】特開２００２−３５８４８７公報（図１等）
【発明の開示】
【発明が解決しようとする課題】
【０００３】
ところが、上述の技術はＩＣチップの識別子と物品とを１対１で対応付けて物品管理を行うものであるため、複数の物品を１単位として管理しようとすると、当該１単位のうちいずれの物品に貼付されたＩＣチップの識別子を基準にすればよいかが問題となる。例えば、物品が一枚の紙などからなる「枚葉」である場合について想定すると、枚葉ごとにＩＣチップを貼付するよりも複数の枚葉を束にして綴じた「書類」として管理した方が利便性が高い場合が多いと考えられるが、一物品である枚葉ごとにＩＣチップが貼付されていると、書類単位での管理が非常に煩雑となり得る。この点、複数の「枚葉」を丁合して「書類」とするには、複数の枚葉を綴じるための綴じ具とそれを書類に供給するための綴じ具供給装置として、例えばステープルとステープラ、クリップ類とクリップ取付器、ハトメとハトメパンチ、製本テープと製本機等、種々のものが従来から存在している。そこで、これらの綴じ具及び綴じ具供給装置を用いて複数の枚葉を丁合し綴じて書類とした後、この書類に１つのＩＣチップを貼付すれば、書類を１単位とする管理を行うことができるとも考えられるが、そうすると綴じ具供給装置による枚葉の綴じ込み作業と携帯端末による書類へのＩＣチップの貼付作業とを別々に行わなければならず、作業に繁雑さを伴うことになる。
【０００４】
そこで本発明は、以上のような問題に鑑みて、書類に限らず１以上の物品を１単位として取り扱い管理する際に極めて利便性の高い綴じ具供給装置を提供しようとするものである。
【課題を解決するための手段】
【０００５】
すなわち、本発明の綴じ具供給装置は、複数の物品又は単一の物品を１単位とする単位物品として綴じる綴じ具を１又は複数格納する綴じ具格納部から綴じ具を当該単位物品ごとに１つずつ供給する綴じ具供給手段と、固有の識別子を記憶する記憶媒体を前記単位物品につき１つずつ添付する記憶媒体供給手段と、前記記憶媒体供給手段により前記単位物品に対して添付される記憶媒体にアクセスして当該記憶媒体に記憶されている識別子を読み取り若しくは記憶媒体に識別子を書き込み又は記憶媒体に識別子を読み書きする記憶媒体アクセス手段とを具備してなることを特徴としている。
【０００６】
ここで、本発明において「綴じる」とは、複数の物品を１つの集合単位として取り扱い得るようにまとめることを意味する。なお、単一の物品を１つの集合単位として取り扱う場合も、複数の物品をまとめることに倣って「綴じる」というものとする。また、本発明における綴じ具とそれに対応する綴じ具供給装置には、ステープル及びステープラ、クリップ類とクリップ取付器、ハトメとハトメパンチ、製本テープと製本機、綴じ紐と綴じ紐を１本ずつ取り出せるようにしたもの、綴じ糸と綴じ糸を１本ずつ又は所定長さずつ取り出せるようにしたもの、綴じリングと綴じリングを１個ずつ取り出せるようにしたものなどを例示することができ、物品を「綴じる」機能を有するものである「綴じ具」とそれを１以上収容して供給する機能を有する装置であればあらゆる態様のものが含まれる。さらに、本発明において「記憶媒体」は、他と区別するための識別子を少なくとも記憶する機能を有しているものであれば、その識別子を接触又は非接触の電子式な手段で読み取り、書き込み、又は読み書きが可能なものを意味している。
【０００７】
斯かる構成の本発明の綴じ具供給装置は、綴じ具供給手段による単位物品への綴じ具の供給機能と、記憶媒体供給手段による単位物品への記憶媒体の供給機能を兼ね備えており、さらに、単位物品に供給される記憶媒体からの識別子の読み取り又は記憶媒体への識別子の書き込み又はその両方を行うという記憶媒体アクセス手段による機能をも有している。したがって、一又は複数の物品を綴じ具によって物理的にひとまとめにして単位物品として取り扱うとともに、単位物品ごとに供給された記憶媒体の固有の識別子によって当該単位物品を一つの集合として電子的に管理を行うことを、本発明の綴じ具供給装置によって一挙に実現することが可能となる。なお、綴じ具供給手段、記憶媒体供給手段、記憶媒体アクセス手段３手段による各機能の動作順序は特に限定されるものではない。すなわち、３手段がいずれかの順番で順次作動する態様、３手段のうち２つが同時に作動しその前後のいずれかのタイミングで残りの手段が作動する態様、３手段が全て同時に作動する態様の全ての態様が本発明に含まれている。
【０００８】
ここで、記憶媒体は、綴じ具に予め一体的に付帯させて、綴じ具供給手段における単位物品への綴じ具による綴じ込み動作と共に、前記記憶媒体の添付がなされるようにすることができ、その場合は、記憶媒体を綴じ具とは別の部材に取り付ける必要をなくすことができる。この場合、記憶媒体アクセス手段の動作を、他の２手段の動作の前又は後に行うようにするか、或いは他の２手段の動作と同時に行うようにするかは任意である。
【０００９】
また、記憶媒体は、綴じ具とは別体をなす基材に付帯させておき、記憶媒体供給手段が、基材を格納する基材格納部から単位物品に対し当該基材を１つずつ添付することにより記憶媒体を添付するものとすることもできる。この場合、上述の通り３手段の動作順序は特に限定されないが、記憶媒体の単位物品への供給は基材の単位物品への供給と共に行われることとなる。
【００１０】
さらに、単位物品への綴じ具の供給と記憶媒体及び基材の供給とを単一の動作で行い得るようにするためには、綴じ具供給装置に、綴じ具供給手段における単位物品への綴じ具による綴じ込み動作と記憶媒体供給手段における単位物品への記憶媒体及び基材の添付動作とを連動させる動作連動手段を設けることが望ましい。
【００１１】
このように単位物品に対して添付される基材として好ましいものには、基材格納部に一枚ずつ積層した状態で格納され且つ一枚ずつ単位物品に添付される枚葉タイプのものを挙げることができる。
【００１２】
その他に基材として適切なものには、基材格納部に巻回した状態で格納され且つ記憶媒体を付帯させたロールシートから当該記憶媒体が少なくとも１以上含まれるように離脱されるシート片タイプのものを挙げることができる。なお、ロールシートから離脱されるシート片からなる基材には、記憶媒体を１つずつ含ませてもよいし、複数含ませてもよい。
【００１３】
また、単位物品に対して添付した記憶媒体と未だ添付されていない記憶媒体とが混在した場合、記憶媒体アクセス手段によってその双方の記憶媒体にアクセスしてしまうと、単位物品の管理上、混乱を来すこととなるため、このような不具合を未然に且つ確実に防止するには、綴じ具供給装置における、記憶媒体供給手段に、基材格納部内に残存し単位物品には未添付の基材及び記憶媒体を記憶媒体アクセス手段による当該未添付の記憶媒体へのアクセスが不能な距離まで単位物品に添付された基材及び記憶媒体から離間させる分離手段を設けることが望ましい。斯かる分離手段としては、例えば、基材が枚葉である場合は、単位物品に添付済と未添付の記憶媒体間の距離をあけたり、基材がロール紙から離脱されるシート片である場合は、そのシート片を１枚ずつ繰り出して切断する等の機能を有するものを挙げることができる。
【００１４】
また、基材として単位物品に対し簡便に添付することができる構成を有するものには、単位物品の一部に貼着されるシール面を有するものが好ましく、その場合、記憶媒体供給手段は、基材のシール面を単位物品の一部に貼着させた状態に当該基材を添付する機能を有するものとすることが好適である。なお、斯かるシール面を有する基材は、未貼付の状態でシール面を保護する剥離紙を有していてもよいし、そのような剥離紙を有しないものとすることもできる。
【００１５】
一方、基材としてこのようなシール面を有さないものを採用する場合は、綴じ具供給手段が、綴じ具によって記憶媒体供給手段において単位物品に添付された基材を当該単位物品と共に綴じ込む機能を有するものとすれば、綴じ具によって単位物品を綴じ込む際に基材が自動的に綴じ込まれることとなるため、基材の添付を簡便に行うことができる。
【００１６】
また、綴じ込み対象となっている単位物品に記憶媒体を１対１で対応付けて、記憶媒体アクセス手段による記憶媒体へのアクセスの誤作動を防止し、適正な機能が奏されるようにするためには、綴じ具供給装置に、綴じ具供給手段において綴じ具により単位物品を綴じるべき所定の綴じ位置に当該単位物品が存在することを検知する検知手段を更に設け、記憶媒体アクセス手段が、検知手段において前記所定の綴じ位置に単位物品が存在することを検知している場合にのみ記憶媒体へのアクセス機能が作動するように構成することが望ましい。
【００１７】
その他にも、綴じ込み対象となっている単位物品に記憶媒体を１対１で対応付けて、記憶媒体アクセス手段による記憶媒体へのアクセスの誤作動を防止し、適正な機能を奏する構成としては、綴じ具供給装置に、綴じ具供給手段において綴じ具を単位物品へ供給する動作を検知する綴じ具供給検知手段を設け、記憶媒体アクセス手段が、綴じ具供給検知手段において綴じ具を供給する動作を検知している場合にのみ記憶媒体へのアクセス機能が作動するように構成したものとしてもよい。
【００１８】
また、綴じ具供給装置が取得した識別子を有効に利用して単位物品の管理に役立てるには、綴じ具供給装置に、記憶媒体アクセス手段で読み取った又は書き込んだ識別子を外部の情報処理機器へ送信する識別子送信手段を更に設けるとよい。このようにすることで、綴じ具で綴じられて記憶媒体が付された単位物品を、パソコン等の情報処理機器内の一データとして管理することを容易に行うことができるようになる。
【００１９】
この場合、一旦綴じ具で綴じられて記憶媒体が付された単位物品に関する情報を後で閲覧したり検索するなどのデータ処理を本発明の綴じ具供給装置を利用しつつ情報処理機器で簡便に行うことができるようにするためには、綴じ具供給装置に、既に単位物品に添付された記憶媒体に記憶されている識別子を読み取り若しくは記憶媒体に識別子を書き込み又は記憶媒体に対し識別子を読み書きする第２記憶媒体アクセス手段を更に設け、識別子送信手段を、第２記憶媒体アクセス手段で読み取った又は書き込んだ識別子をも外部の情報処理機器へ送信するものとすることが有効である。
【００２０】
また、記憶媒体アクセス手段は、記憶媒体から読み込んだ識別子を一時的に蓄積する一時記憶部を具備するものとすることができる。ここで、一時記憶部としては、一時メモリやバッファ等を利用することができる。そして、この記憶媒体アクセス手段では、綴じ具供給手段による単位物品への綴じ具の供給動作に伴って一時記憶部に蓄積した識別子を読み込むものとなる。
【００２１】
また、例えば、１つの基材に複数の記憶媒体を含ませている場合や、記憶媒体アクセス手段の近傍に既に単位物品を綴じた別の単位物品や未使用の綴じ具が偶然存在して記憶媒体アクセス手段に誤作動が生じる場合、単位物品に対して添付した記憶媒体と未添付の記憶媒体とが混在した場合など、記憶媒体アクセス手段では複数の識別子を同時に読み取ることがあると考えられる。このような場合に、綴じ具によって綴じられる単位物品と識別子とを正確に１対１で対応付けるには、識別子を、数字、文字等の所定の順序が定まった記号を含むものとしておき、記憶媒体アクセス手段が、複数の識別子を同時に読み込んだ場合に、それら複数の識別子のうち前記所定の順序の先頭又は末尾の記号を有する１の識別子を綴じ具供給手段で綴じ具を供給した単位物品に割り当てる機能を有するものとすることが有効となる。具体的には、例えば各記憶媒体に通し番号で異なる識別子を記録しておき、記憶媒体アクセス手段で読み取った複数の識別子のうち何れか一つの（例えば最小番号又は最大番号の）識別子が当該単位物品に割り振られることとなり、単位物品と識別子との１対１での対応付けが適切に行われる。
【発明の効果】
【００２２】
本発明に係る綴じ具供給装置は、綴じ具供給装置本来の機能である綴じ具を供給して一以上の物品を単位物品として一体に取り扱い得るようにする機能と、その単位物品ごとに固有の識別子を記録し又は書き込み可能な記憶媒体を当該単位物品に供給する機能とを兼ね備えており、さらに単位物品に貼付される記憶媒体に電子的にアクセスする機能をも有している。したがって、本発明の綴じ具供給装置によれば、１以上の物品を一単位として物理的に取り扱うとともに、１以上の物品からなる単位物品ごとの電子的な管理を行うことが可能である。その結果、物品を綴じるための装置と電子的な管理を行うための装置とを個別に用意し使用する必要がなくなり、このような物品の物理的管理と電子的管理を行う場面での使用上の簡便さと低コスト化を図ることができる。
【発明を実施するための最良の形態】
【００２３】
以下、本発明の実施形態を、図面を参照して説明する。
【００２４】
＜第１実施形態＞  図１に模式的に示す綴じ具供給装置は、物品たる枚葉Ｐ（紙片）を複数枚丁合して綴じ具たるステープル（針）Ａａによって綴じ込み、１つの単位物品たる書類ＤＣとするためのステープラＡ１である。すなわちステープラＡ１は基本的に、書類ＤＣをステープルＡａで綴じる通常のステープラと同様に、綴じ具供給手段Ａ１ＡとしてステープルＡａを書類ＤＣに突き通して綴じ込むための機能を有するものである。具体的にこのステープラＡ１は、一般的なハンディタイプのステープラと同様に、後端部側で蝶番（図示省略）により相互に回動可能に組み立てられたハンドルＡ１１及びクリンチャアームＡ１２と、ハンドルＡ１１の下端側に設けられ１つ以上のステープルＡａを装填した綴じ具格納部たるマガジンＡ１１１及びこのマガジンＡ１１１の先端部からステープルＡａを１つずつクリンチャアームＡ１２側へ押し出すドライバＡ１１２と、押し出されたステープルＡａの先端を受けてドライバＡ１１２の下端との間に挟み込むことでステープルＡａの先端を曲げるためにクリンチャアームＡ１２の先端部に設けられたクリンチャＡ１２１とを備えており、ハンドルＡ１１とクリンチャアームＡ１２とを接近させるように操作することで各部が一体として、ステープルＡａを１つずつ放出する綴じ具供給手段Ａ１Ａとして機能している。
【００２５】
本実施形態のステープラＡ１は斯かる基本的構成に加えて、ステープルＡａによって綴じ込まれる書類ＤＣごとに区別して電子データとして取り扱い得るようにするために個別の識別子を読み込ませた記憶媒体を、各書類ＤＣに供給し添付する記憶媒体供給手段Ａ１Ｂと、書類ＤＣに添付された記憶媒体にアクセスして識別子を読み取る記憶媒体アクセス手段Ａ１Ｃとを有している。まず、記憶媒体としては、例えば無線通信部及びメモリ部を有するＩＣチップＡｂを採用している。このＩＣチップＡｂは、ＲＦＩＤ（Radio Frequency Identification）方式により記憶媒体アクセス手段Ａ１Ｃと通信しメモリ部に記録された識別子を読み取らせることができるようにしたものである。このＩＣチップＡｂは、矩形枚葉（紙片又はシート状のプラスティック片）タイプの基材Ａｃ１の一部に予め取り付けられている。さらに基材Ａｃ１は、複数枚が積み重ねられた状態で基材格納部たるカートリッジＡ１３に収容されている。このカートリッジＡ１３は、同図（ａ）円内に示すように、少なくとも上方に開口して基材Ａｃ１を収容する筐体状をなす本体部Ａ１３１と、本体部Ａ１３１の上端部において前方へ突出させたガイド部Ａ１３２とを有しており、本体部Ａ１３１の内部には収容された基材Ａｃ１の束を上方へ押し上げるバネＡ１３３を内蔵させている。なお、ガイド部Ａ１３２は、書類ＤＣに添付される１枚の基材Ａｃ１を未添付の状態で本体部Ａ１３１に収容された他の基材Ａｃ１から物理的に距離を離すために設けられた分離機構として機能するものであり、そのための構成として、上方から負荷が掛からない状態で１枚の基材Ａｃ１を載置しておき、ステープルＡａを貫通させ得る程度の貫通孔（図示省略）が形成してある。このような構成のカートリッジＡ１３は、クリンチャアームＡ１２の前端部側において上方へ開口させたカートリッジ収容孔Ａ１２２に本体部Ａ１３１を挿入し、ガイド部Ａ１３２をクリンチャＡ１２１の直上に位置付けた状態で、クリンチャアームＡ１２に装着されている。一方、書類ＤＣに添付される基材Ａｃ１に取り付けられているＩＣチップＡｂの識別子を読み取るための記憶媒体アクセス手段Ａ１Ｃは、ＲＦＩＤ方式で当該識別子をＩＣチップＡｂから読み取る無線アンテナを備えている。ここで、ＩＣチップＡｂから適正に識別子を読み取るために記憶媒体アクセス手段Ａ１Ｃの配置箇所は、ステープラＡ１の先端部側が望ましい。本実施形態の場合はクリンチャアームＡ１２の先端部においてクリンチャＡ１２１の下側に記憶媒体アクセス手段Ａ１Ｃを設けているが、マガジンＡ１１１やハンドルＡ１１の先端部等の識別子の読み取りを適正に行い得る部位であればどこに設けた構成としても構わない。なお、記憶媒体アクセス手段Ａ１Ｃが記憶媒体Ａｂの識別子を読み取るタイミングは特に限定されないが、例えばステープルＡａや基材Ａｃ１を書類ＤＣに供給する動作を契機とする場合には、このステープラＡ１の何れかの箇所に適宜のスイッチを設けておき、ステープルＡｂや基材Ａｃ１を１つ放出する動作に伴ってスイッチがＯＮになり、無線アンテナが作動するように構成することができる。また、読み取り後の識別子は、当該記憶媒体アクセス手段に別途設けられたメモリ部に一時的に蓄積しておき、その後で有線又は無線方式で書類ＤＣを管理するコンピュータに送信するように構成したり、読み取り後すぐに有線又は無線方式でコンピュータに送信するように構成しておくことができる。
【００２６】
また、このステープラＡ１においては、ステープルＡｂを１つ放出する動作（ステープリング動作）と、記憶媒体Ａｂ付の基材Ａｃ１を１つ放出する動作とを連動させる動作連動手段Ａ１Ｄを備えている。具体的に動作連動手段Ａ１Ｄは、マガジンＡ１１１に枢着させてステープリング動作に伴って傾動する連動バーＡ１４１と、この連動バーＡ１４１の傾動動作に案内されて前後移動するようにクリンチャアームＡ１２に設けられたスライダＡ１４２とから構成される。スライダＡ１４２は上端部において連動バーＡ１４１に形成された長孔Ａ１４１ａ内に挿入されており、ステープリング動作に追従した連動バーＡ１４１の傾動に伴って当該上端部が長孔Ａ１４１ａの一方の端部（図示例では右端部）に達すると、カートリッジＡ１３内の最上面側の基材Ａｃ１をガイド部Ａ１３２へ押し出すように動作するように構成されている。ステープリング動作が終了すると、スライダＡ１４２の上端部が長孔Ａ１４１ａの他方の端部に押圧されて元の待機位置に戻ることになる。なお、長孔Ａ１４１ａの開口長さや形成位置を変更すれば、スライダＡ１４２の移動ストロークや移動タイミングを適宜に調節することができる。
【００２７】
以上のようなステープラＡ１を用いて書類ＤＣを綴じる場合、図１（ｂ）に示すようにクリンチャＡ１２１とマガジンＡ１１１との間に書類ＤＣを差し込み、使用者が手でハンドルＡ１１をクリンチャアームＡ１２へと近づけるようにステープリング動作を行う。このステープリング動作によって連動バーＡ１４１が後傾角度を強めるに伴い、スライダＡ１４２が前方へスライド移動すると、カートリッジＡ１３の本体部Ａ１３１内に収容されていた最上部の基材Ａｃ１がガイド部Ａ１３２へと押し出されて、書類ＤＣの最裏面（クリンチャＡ１２１側）の枚葉Ｐの裏面側（クリンチャＡ１２１側）にあてがわれる。さらにステープリング動作を続けると、同図（ｃ）に示すように、マガジンＡ１１１の先端部からドライバＡ１１２に押し出されたステープルＡａが書類ＤＣ及び基材Ａｃ１を貫通してクリンチャＡ１２１により先端部が曲げられ、書類ＤＣと基材Ａｃ１とが一体に綴じ込まれることになる（同図円内参照）。その際、上述したようなスイッチがＯＮになると記憶媒体アクセス手段Ａ１Ｃの無線アンテナが作動して、ステープルＡａにより書類ＤＣに綴じ込まれた基材Ａｃ１の記憶媒体Ａｂから識別子が読み取られる。その結果、枚葉Ｐの束からなる書類ＤＣを物理的に一体に取り扱うことができるとともに、識別子を用いた書類ＤＣごとの電子的な管理が可能となる。なお、１枚の枚葉Ｐを単位物品たる書類ＤＣとして取り扱う場合には、この１枚の枚葉Ｐからなる書類ＤＣにステープルＡａと、記憶媒体Ａｂ付の基材Ａｃ１を取り付けるようにすればよい。このことは、以下に述べる各実施形態に共通する事項である。
【００２８】
＜第２実施形態＞  図２に模式的に示す綴じ具供給装置は、第１実施形態と同じく物品たる枚葉Ｐの束（単位物品）である書類ＤＣを綴じるためのステープラＡ２であり、綴じ具供給手段Ａ２ＡとしてステープルＡａを放出するための機構部品であるハンドルＡ２１、マガジンＡ２１１、ドライバＡ２１２、クリンチャアームＡ２２、クリンチャＡ２２１を主体として構成されており、ステープリングの機構は第１実施形態と同様である。このステープラＡ２では、識別子の記憶媒体たるＩＣチップＡｂ（第１実施形態のものと同様である）の書類ＤＣに対する供給の機構が第１実施形態とは異なっている。すなわち、ＩＣチップＡｂは、図２（ａ）に示すようなロールシートＲＳ１に所定間隔で取り付けられており、当該ＩＣチップＡｂが１つずつ含まれるようにロールシートＲＳ１から切り出したシート片を基材Ａｃ２としている。斯かるロールシートＲ１は、ハンドルＡ２１及びマガジンＡ２１１の前方に適宜の構成で設けられた基材格納部たる支軸Ａ２１３に枢支させてある。この支軸Ａ２１３は、図示しない適宜の動作連動手段によって、ステープリング動作に伴って１枚の基材Ａｃ２に相当する長さ分だけロールシートＲＳ１の先端部を繰り出すように回転する。また、マガジンＡ２１１の先端部には、ロールシートＲＳ１から書類ＤＣに添付される基材Ａｃ２を切り離す分離手段として、ロールシートＲＳ１から所定長さのシート片を切断して基材Ａｃ２とするためのカッターＡ２１４を設けている。このカッターＡ２１４は、同図（ｂ）に示すように、ステープリング動作によってマガジンＡ２１１の下面側が書類ＤＣの表面に対面した際に、その当接力によりロールシートＲＳ１から繰り出された先端部を切断するようにしてある。なお、無線アンテナを備えた記憶媒体アクセス手段Ａ２Ｃは、第１実施形態と同様にクリンチャアームＡ２２の先端部に設けられており、第１実施形態の場合と同じくステープリング動作又は基材Ａｃ２の書類ＤＣへの供給動作を契機として記憶媒体アクセス手段ＡＣを作動させる適宜のスイッチ等を設けることができる。
【００２９】
このようなステープラＡ２を用いた場合も、ステープリング操作の結果、ステープルＡａによって書類ＤＣと基材Ａｃ２とが一緒に綴じ込まれる。ただし本実施形態の場合、同図円内に示すように、基材Ａｃ２は書類ＤＣの最表面側（マガジンＡ２１１側）の枚葉Ｐの表面（マガジンＡ２１１側）に添付される。したがって、第１実施形態の場合と同様、書類ＤＣを一単位として物理的に取り扱い、且つ識別子によって書類ＤＣごとの電子的な管理を行うことができる。
【００３０】
＜第３実施形態＞  図３に模式的に示す綴じ具供給装置は、第１、第２実施形態と同じく物品たる枚葉Ｐの束（単位物品）である書類ＤＣを綴じるためのステープラＡ３であり、綴じ具供給手段Ａ３ＡとしてステープルＡａを放出するための機構部品であるハンドルＡ３１、マガジンＡ３１１、ドライバＡ３１２、クリンチャアームＡ３２、クリンチャＡ３２１を主体として構成されており、ステープリングの機構は前記各実施形態と同様である。本実施形態では、識別子の記憶媒体であるＩＣチップＡｂを、同図（ａ）円内に示すように、円形枚葉タイプの基材Ａｃ３に取り付けている。この基材Ａｃ３は、裏面側（図示例では下面側）を粘着性のあるシール面としており、上側の基材Ａｃ３のシール面を下側の基材Ａｃ３の表面（図示例では上面）に緩く接着させた状態で複数の基材Ａｃ３を積層して基材格納部たるカートリッジＡ３３内に収容させている。基材供給手段Ａ３Ｂとして機能するこのカートリッジＡ３３は、マガジンＡ３１１の先端部においてハンドルＡ３１の前方位置に設けられており、下方に開口する外ケースＡ３３１と内ケースＡ３３２の二重筒構造をなしている。具体的に、内ケースＡ３３２は、外ケースＡ３３１の上壁と内ケースＡ３３２の上壁との間に設けられたバネＡ３３３によって下方へ弾性付勢された状態で外ケースＡ３３１内を上下移動するように設けられており、この内ケースＡ３３２内に基材Ａｃ３の束が収容されている。なお、基材Ａｃ３の束は、内ケースＡ３３２内において、当該内ケースＡ３３２の上壁に設けられたバネＡ３３４によって下方へ弾性付勢され、常に基材Ａｃ３のシール面が内ケースＡ３３２の下端部より適度に突出する状態となっている。また、本実施形態では、無線アンテナを備えた記憶媒体アクセス手段Ａ３Ｃを、カートリッジＡ３３の真下におけるクリンチャアームＡ３２の先端部（クリンチャＡ３２１よりも前方）に配置している。さらにこのステープラＡ３には、ステープルＡｂを１つ放出するステープリング動作と、記憶媒体Ａｂ付の基材Ａｃ３を１枚放出する動作とを連動させる動作連動手段Ａ３Ｄを設けている。この動作連動手段Ａ３Ｄは、上述したカートリッジＡ３３と、長手方向中央部をマガジンＡ３１１に回動可能に軸着し先端部をカートリッジＡ３３の内ケースＡ３３２に取り付けた連動バーＡ３４１と、この連動バーＡ３４１の後端部を上方から押圧するようにハンドルＡ３１の一部を下方へ突出させた突起部Ａ３１３とから構成される。さらにハンドルＡ３１内には、ステープリング動作によって各１つのステープルＡａ及び基材Ａｃ３を書類ＤＣに供給することを検知して、記憶媒体アクセス手段Ａ３Ｃを作動させるスイッチＡ３５を備えた綴じ具供給検知手段Ａ３Ｅを設けている。
【００３１】
このようなステープラＡ３を使用する場合、同図（ａ）（ｂ）（ｃ）の順に示すように、クリンチャＡ３２１とマガジンＡ３１１との間に書類ＤＣを差し込み、使用者が手でハンドルＡ３１をクリンチャアームＡ３２へと近づけると、マガジンＡ３１１と共にカートリッジＡ３３が下動して最裏面側の基材Ａｃ３のシール面（裏面）を最表面の枚葉Ｐに接触させる（同図（ｂ））。そして、さらにハンドルＡ３１を下動させるようにステープリング動作を続けると、ステープルＡａが書類ＤＣに差し込まれるとともに、突起部Ａ３１３が連動バーＡ３４１の後端部を下方へ押さえるのに従って、連動バーＡ３４１の先端部がカートリッジＡ３３の内ケースＡ３３２を外ケースＡ３３１内に進入させつつ上方へ持ち上げて、書類ＤＣへ貼付済の基材Ａｃ３と未貼付の基材Ａｃ３とを物理的に離間させる（同図（ｃ））。その際、綴じ具供給検知手段Ａ３ＥのスイッチＡ３５がＯＮになり、記憶媒体アクセス手段Ａ３Ｃが作動して書類ＤＣに貼付された基材Ａｃ３のＩＣチップＡｂから識別子を読み取る。この段階でハンドルＡ３１に加えていた操作力を外すと、図示しないバネによりハンドルＡ３１が元の待機状態（同図（ａ））に戻り、バネＡ３３３の蓄勢されていた弾性力によってカートリッジＡ３３も元の待機状態（同図（ａ））に戻ることになる。以上の結果、枚葉Ｐの束からなる書類ＤＣを物理的に一体に取り扱うことができるとともに、識別子を用いた書類ＤＣごとの電子的な管理が可能となる。
【００３２】
なお、このような構成のステープラＡ３において、図４に上述とは異なる位置に綴じ具供給検知手段Ａ３Ｅ'を設定した例を示す。このものは、クリンチャアームＡ３２において、ハンドルＡ３１に設けた突起部Ａ３１３の下方位置にスイッチＡ３５'を設けたものであり、突起部Ａ３１３に連動バーＡ３４１を駆動させる機能とスイッチＡ３５'のＯＮ／ＯＦＦの切替機能とを兼ねさせている。その他の構成については、図３に示したステープラＡ３の場合と同様であり、前記各実施形態と同様に、書類ＤＣを一単位として物理的に取り扱い、且つ識別子によって書類ＤＣごとの電子的な管理を行うことができる。
【００３３】
＜第４実施形態＞  図５に模式的に示す綴じ具供給装置は、第１〜第３実施形態と同じく物品たる枚葉Ｐの束（単位物品）である書類ＤＣを綴じるためのステープラＡ４であり、綴じ具供給手段Ａ４ＡとしてステープルＡａを放出するための機構部品であるハンドルＡ４１、マガジンＡ４１１、ドライバＡ４１２、クリンチャアームＡ４２、クリンチャＡ４２１を主体として構成されており、ステープリングの機構は前記各実施形態と同様である。本実施形態では、識別子の記憶媒体であるＩＣチップＡｂを、同図（ａ）（ｃ）円内に示すように、矩形枚葉タイプの基材Ａｃ４に取り付けている。この基材Ａｃ４は、表面側（図示例では上面側）を粘着性のあるシール面としており、下側の基材Ａｃ４のシール面を上側の基材Ａｃ４の表面（図示例では下面）に緩く接着させた状態で複数の基材Ａｃ４を積層して基材格納部としてクリンチャアームＡ４２の先端部、具体的にはクリンチャＡ４２１の下方に形成した収容孔Ａ４２２内のカートリッジＡ４３１に収容させている。なお、収容孔Ａ４２２の周囲には、無線アンテナを備えた記憶媒体アクセス手段Ａ４Ｃを設けている。また、クリンチャＡ４２１は、この収容孔Ａ４２２の底から起立させた支柱Ａ４２３の上端部に起立させており、基材Ａｃ４には、同図（ａ）（ｃ）円内に示すように支柱Ａ４２３及びクリンチャＡ４２１を挿通させる穴Ａｃ４ａを開口させている。カートリッジＡ４３１は、収容孔Ａ４２２内に設けたバネＡ４２４により下方から上へ押圧されて上下移動可能な状態となっており、基材供給手段Ａ４Ｂとして機能するこのカートリッジＡ４３１内において基材Ａｃ４の束はバネＡ４３２によって上方へ弾性付勢されて、常に基材Ａｃ４のシール面がカートリッジＡ４３１の上端部より適度に突出する状態となっている。さらにこのステープラＡ４には、ステープルＡｂを１つ放出するステープリング動作と、記憶媒体Ａｂ付の基材Ａｃ４を１枚放出する動作とを連動させる動作連動手段Ａ４Ｄを設けている。この動作連動手段Ａ４Ｄは、上述した構成を有する収容孔Ａ４２２及びカートリッジＡ４３１と、長手方向中央部近傍をクリンチャアームＡ４２に枢支させるとともに先端部をカートリッジＡ４３１にスライド移動可能に枢支させた連動バーＡ４４１と、クリンチャアームＡ４２に回動可能に軸着され連動バーＡ４４１の後端部を枢支させたカムＡ４４２と、このカムＡ４４２を上方から押圧するようにハンドルＡ４１の一部を下方へ突出させた突起部Ａ４１３とから構成される。連動バーＡ４４１の後端部側には長手方向に沿った長孔Ａ４４１ａが形成してあり、この長孔Ａ４４１ａを通じて連動バーＡ４４１の後端部をカムＡ４４２にピンＡ４４２ａで枢着している。さらに連動バーＡ４４１の先端部側にも長手方向に沿った長孔Ａ４４１ｂが形成してあり、この長孔Ａ４４１ｂを通じて連動バーＡ４４１の先端部をカートリッジＡ４３１にピンＡ４３１ａで枢着している。なお、綴じ具供給検知手段については特に図示しないが、上述した第３実施形態（図３）又はその変形例（図４）に示したような構成のものを適用することができる。
【００３４】
すなわち、このような構成のステープラＡ４を使用する場合、同図（ａ）（ｂ）（ｃ）の順に示すように、クリンチャＡ４２１とマガジンＡ４１１との間に書類ＤＣを差し込み、使用者が手でハンドルＡ４１をクリンチャアームＡ４２へと近づけ、最表面側の基材Ａｃ４のシール面（表面）を最裏面の枚葉Ｐの裏面に接触させ（同図（ｂ））、さらにハンドルＡ４１を下動させるようにステープリング動作を続けると、ステープルＡａは、基材Ａｃ４の穴Ａｃ４ａを通過して書類ＤＣのみを綴じ込み、基材Ａｃ４は独立して書類ＤＣに貼付される。その際、突起部Ａ４１３がカムＡ４４２に上方から当接して当該カムＡ４４２を回動させる（図示例では時計回り）のに伴って、連動バーＡ４４１がクリンチャアームＡ４２への枢着点を中心としてカートリッジＡ４３１を収容孔Ａ４２２内において下方へ引き下ろすように回動（図示例では反時計回り）する。その際、見かけ上、ピンＡ４４２ａが連動バーＡ４４１の長孔Ａ４４１ａ内を当該連動バーＡ４４１の内方側（図示例では左方向）へ一旦移動してから再度外方側（同、右方向）へ移動し、ピンＡ４３１ａが連動バーＡ４４１の長孔Ａ４４１ｂ内を当該連動バーＡ４４１の内方側（図示例では右方向）へ一旦移動してから再度外方側（同、左方向）へと移動する。その結果、書類ＤＣへ貼付済の基材Ａｃ４と未貼付の基材Ａｃ４とを物理的に離間させることとなる（同図（ｃ））。またこのとき、綴じ具供給検知手段のスイッチがＯＮになり、記憶媒体アクセス手段Ａ４Ｃが作動して書類ＤＣに貼付された基材Ａｃ４のＩＣチップＡｂから識別子を読み取る。この段階でハンドルＡ４１に加えていた操作力を外すと、図示しないバネによりハンドルＡ４１が元の待機状態（同図（ａ））に戻り、バネＡ４２４の蓄勢されていた弾性力によってカートリッジＡ４３１も元の待機状態（同図（ａ））に戻ることになる。以上の結果、枚葉Ｐの束からなる書類ＤＣを物理的に一体に取り扱うことができるとともに、識別子を用いた書類ＤＣごとの電子的な管理ができる。
【００３５】
なお、本実施形態においては、図６に示すような動作連動手段Ａ４Ｄ'も適用することができる。このステープラＡ４'において動作連動手段Ａ４Ｄ'は、上述した構成を有する収容孔Ａ４２２及びカートリッジＡ４３１と、後端部をピンＡ４４２'によりクリンチャアームＡ４２に枢支させるとともに先端部をカートリッジＡ４３１にスライド移動可能に枢支させた連動バーＡ４４１'と、この連動バーＡ４４１'の長手方向中央部近傍を上方から押圧するようにハンドルＡ４１の一部を下方へ突出させた突起部Ａ４１３'とから構成したものである。連動バーＡ４４１'の先端部側には長手方向に沿った長孔Ａ４４１ｂ'が形成してあり、この長孔Ａ４４１ｂ'を通じて連動バーＡ４４１'の先端部をカートリッジＡ４３１にピンＡ４３１ａ'で枢着している。このような構成のステープラＡ４'を使用する場合、同図（ａ）（ｂ）の順に示すように、クリンチャＡ４２１とマガジンＡ４１１との間に書類ＤＣを差し込み、ハンドルＡ４１を下動させるようにステープリング動作を行うと、上記実施形態の場合と同様に、ステープルＡａが基材Ａｃ４の穴Ａｃ４ａを通過して書類ＤＣのみを綴じ込み、且つ基材Ａｃ４が書類ＤＣに貼付される際に、突起部Ａ４１３'が連動バーＡ４４１'に上方から当接して当該連動バーＡ４４１'を前記ピンＡ４４２'を中心として回動させる（図示例では反時計回り）。それに伴って、連動バーＡ４４１'が先端部側においてカートリッジＡ４３１を収容孔Ａ４２２内において下方へ引き下ろす。その際、見かけ上、ピンＡ４３１ａ'が連動バーＡ４４１'の長孔Ａ４４１ｂ'内を当該連動バーＡ４４１の内方側（図示例では右方向）へと移動することとなり（同図（ｂ））、その結果、書類ＤＣへ貼付済の基材Ａｃ４と未貼付の基材Ａｃ４とを物理的に離間させることとなる。
【００３６】
＜第５実施形態＞  図７に模式的に示す綴じ具供給装置は、第１〜第４実施形態と同じく物品たる枚葉Ｐの束（単位物品）である書類ＤＣを綴じるためのステープラＡ５であり、綴じ具供給手段Ａ５ＡとしてステープルＡａを放出するための機構部品であるハンドルＡ５１、マガジンＡ５１１、ドライバＡ５１２、クリンチャアームＡ５２、クリンチャＡ５２１を主体として構成されており、ステープリングの機構は前記各実施形態と同様である。本実施形態では、識別子の記憶媒体であるＩＣチップＡｂを、図８（ａ）に示すようなシート片からなる基材Ａｃ５に取り付けている。基材Ａｃ５は剥離シートＲＳ２ａ上に定間隔で緩く貼り付けられており、複数の基材Ａｃ５と剥離シートＲＳ２ａとが一体のロールシートＲＳ２を構成している。そしてこのロールシートＲＳ２を、基材格納部としてクリンチャアームＡ５２に設けた巻き出し軸Ａ５２２に回転可能に取り付けている。なお、剥離シートＲＳ２ａは、前記支軸Ａ５２２の前方に設けた巻き取り軸Ａ５２３に巻き取って回収するようにしている。このような構成の記憶媒体供給手段Ａ５Ｂは、ステープリング動作に連動して傾動するとともに、基材Ａｃ５を１枚ずつ書類ＤＣの最表面側の枚葉Ｐの表面においてステープルＡａが差し込まれる位置に送り出すように巻き出し軸Ａ５２２及び巻き取り軸Ａ５２３を回転させる。また、このように構成は、書類ＤＣに添付される基材Ａｃ５の記憶媒体Ａｂと剥離シートＲＳ２ａ上にあって未添付の基材Ａｃ５の記憶媒体Ａｂとを物理的に分離する分離機構を兼ねている。そして、同図（ｂ）に示すようにステープルＡａにより書類ＤＣを綴じると、その書類ＤＣの最表面側の枚葉Ｐの表面において基材Ａｃ５が書類ＤＣと共にステープルＡａで綴じ込まれる。このとき、例えば基材Ａｃ５の裏面をシール面とすることも可能であり、その場合、基材Ａｃ５は前記枚葉Ｐにしっかりと貼着されることになる。なお、記憶媒体アクセス手段や綴じ具供給検知手段は、上記各実施形態のように適宜の箇所に設けることができる。
【００３７】
また、上述のような基材Ａｃ５を剥離可能に有するロールシートＲＳ２'は、図８（ｂ）に示すように、両側縁部に沿って定寸送り用の穴ＲＳ２ａｈを所定間隔で設けた剥離シートＲＳ２ａ'を備えたものとすることもできる。この場合、ロールシートＲＳ２'を定寸法ずつ送り出すために、定寸送り用の穴ＲＳ２ａｈに嵌り込む突起を備えた回転体を記憶媒体供給手段Ａ５Ｂの適宜箇所に設けるとよい。
【００３８】
さらに、図９（ａ）（ｂ）に変形例として示すステープラＡ５'のように、ロールシートＲＳ２を送り出す巻き出し軸Ａ５２２'及び剥離シートＲＳ２ａを回収する巻き取り軸Ａ５２３'を有する記憶媒体供給手段Ａ５Ｂ'及び基材格納部は、上部構造すなわちマガジンＡ５１１又はハンドルＡ５１側に設けることもできる。この場合、書類ＤＣにおいて基材Ａｃ５を添付する位置にステープルＡａを打ち込む場合は、基材Ａｃ５の裏面をシール面としてもよいし非シール面としてもよいが、両位置が異なる場合は基材Ａｃ５の裏面をシール面とするのが好ましい。
【００３９】
以上のような構成のステープラＡ５、Ａ５'の場合も、前記各実施形態と同様に、書類ＤＣを一単位として物理的に取り扱い、且つ識別子によって書類ＤＣごとの電子的な管理を行うことができる。
【００４０】
＜第６実施形態＞  図１０に模式的に示す綴じ具供給装置は、第１〜第５実施形態と同様に、物品たる枚葉Ｐの束（単位物品）である書類ＤＣを綴じるためのステープラＡ６であるが、前記各実施形態のようなハンディタイプではなく比較的大型の据え置きタイプのものである。なお、綴じ具供給手段Ａ６Ａとしての基本的構成であるハンドルＡ６１、マガジンＡ６１１、ドライバ（図示省略）、クリンチャアームＡ６２、クリンチャＡ６２１は各実施形態とは構造的な違いはあるが機能的には同様である。そして、クリンチャアームＡ６２の下側に台座Ａ６３を取り付けている。本実施形態では、識別子の記憶媒体Ａｂとして上記各実施形態と同様のＩＣチップＡｂを利用しており、このＩＣチップＡｂを、上面をシール面とした枚葉タイプの基材Ａｃ６に取り付けている。そして、斯かる基材Ａｃ６を複数枚積層した状態で、台座Ａ６３においてクリンチャＡ６２１の後方に形成した基材格納部Ａ６３１に収容させている。なお、基材格納部Ａ６３１内では、積層された基材Ａｃ６を下方から上へ押し上げるバネＡ６３２等を設けており、図１１（ａ）及び同図（ｂ）円内に示すように、その押圧力により最表面側の基材Ａｃ６を書類ＤＣのうち最裏面側の枚葉Ｐの裏面に貼着するように記憶媒体供給手段Ａ６Ｂを構成している。また斯かる構成は、ステープリング動作に連動してＩＣチップＡｂ付きの基材Ａｃ６を書類ＤＣに貼着する動作連動手段と、書類ＤＣに貼付される基材Ａｃ６と基材格納部Ａ６３１内にあって未貼付の基材Ａｃ６とを分離させ離間させる分離手段を兼ねている。さらに、クリンチャアームＡ６２において台座Ａ６３の基材格納部Ａ６３１の上方には、無線アンテナを備えた記憶媒体アクセス手段Ａ６Ｃを設けており、上述のようにして書類ＤＣに取り付けられる基材Ａｃ６のＩＣチップＡｂから識別子を取得するようにしている。
【００４１】
さらに、本実施形態では、マガジンＡ６１１とクリンチャアームＡ６２との間の所定の綴じ位置に書類ＤＣが存在することを検知して記憶媒体アクセス手段Ａ６Ｃを作動させる検知手段Ａ６Ｆとして、図１１（ａ）に示すような検知スイッチＡ６４を備えている。この書類検知スイッチＡ６４は、通常は電気的にＯＦＦの状態にあるスイッチ駆動レバーＡ６４１とスイッチ本体Ａ６４２とからなり、書類ＤＣが綴じ位置に挿入された際に当該書類ＤＣの先端がスイッチ駆動レバーＡ６４１をスイッチ本体Ａ６４２側に押し付ける状態となると、スイッチ本体Ａ６４２が通電したＯＮの状態となるように構成されている。そして、この書類検知スイッチＡ６４がＯＮの状態となったときにのみ、記憶媒体アクセス手段Ａ６Ｃが作動するようにしてある。さらに本実施形態では、図１０に示すように、記憶媒体アクセス手段Ａ６Ｃにより基材Ａｃ６のＩＣチップＡｂから取得した識別子を、外部のパソコンＰＣへ送信する通信機器からなる識別子送信手段Ａ６Ｇを前記台座Ａ６３に設けている。なお、本実施形態では識別子送信手段Ａ６ＧからパソコンＰＣへの情報伝達を有線（図示例ではＵＳＢケーブルＡ６Ｇａ）を通じて行っているが、無線通信により識別子を送信するように構成してもよい。また、ハンドルＡ６１には、前記記憶媒体アクセス手段Ａ６Ｃと同様の第２記憶媒体アクセス手段Ａ６Ｈを設けており、事後的に書類ＤＣに添付された基材Ａｃ６のＩＣチップＡｂから識別子を取得する場合にこの第２記憶媒体アクセス手段Ａ６Ｈを利用する。なお、識別子送信手段Ａ６Ｇは、第２記憶媒体アクセス手段Ａ６Ｈで読み取った識別子も外部のパソコンＰＣへ送信する機能を有している。
【００４２】
このように本実施形態のステープラＡ１を利用することにより、上記各実施形態と同様に、書類ＤＣを一単位として物理的に取り扱い、且つ識別子によって書類ＤＣごとの電子的な管理を行うことができる。さらに、書類ＤＣを綴じる際のみならずその後でも、物理的な存在である書類ＤＣと固有の識別子によってデータ上の存在として取り扱われる書類ＤＣとを１対１で対応付けて管理することができる。
【００４３】
なお、本実施形態では上述した検知手段Ａ６Ｆの代わりに、ハンドル部Ａ６１を操作しているステープリング動作を検知して記憶媒体アクセス手段Ａ６Ｃを作動させる綴じ具供給検知手段Ａ６Ｅを設けることができる。この綴じ具供給検知手段Ａ６Ｅは、図１１（ｃ）に概略的に示すように、ハンドルＡ６１の一往復動作（１ストローク）に対応して一回転するタイミングホイールＡ６５１と、このタイミングホイールＡ６５１の周縁部において盤面と鉛直方向に光を照射する光源（図示省略）から光を受けるストローク検知センサＡ６５２と、タイミングホイールＡ６５１の盤面上に弧状をなして設けられた反射板Ａ６５３と、この反射板Ａ６５３に対して光を照射するとともに反射板Ａ６５３で反射した光を受けた場合にのみ記憶媒体アクセス手段Ａ６Ｃを駆動するタイミングセンサＡ６５４とを備えている。タイミングホイールＡ６５１には、その周に沿って後述する動作を行うための適切な弧状をなす切欠部Ａ６５１ａが形成してあり、ストローク検知センサＡ６５２は、この切欠部Ａ６５１ａ以外の部位に遮られているときにＯＮの状態となってハンドルＡ６１のストローク動作が行われていることを検知し、切欠部Ａ６５１ａを通じて遮られていないときにＯＦＦの状態となってストローク動作が行われていないことを検知するようにしてある。一方、反射板Ａ６５３は、後述する動作を行うための適切な弧状をなすように設けられており、この反射板Ａ６５３がタイミングセンサＡ６５４の前方を通過すると、記憶媒体アクセス手段Ａ６Ｃが作動するようにしている。このような構成としても、上述した第１実施形態の場合と同様に、１本のステープルＡａによって書類ＤＣを綴じる瞬間にのみ、その書類ＤＣに貼付される基材Ａｃ６のＩＣチップＡｂに記録されている識別子を的確に記憶媒体アクセス手段Ａ６Ｃで読み取ることができる。なお、本実施例の綴じ具供給検知手段Ａ６Ｅでは、切欠部と反射板及びタイミングセンサとを組み合わせた構成としているが、これらの組み合わせ方や配置位置は適宜変更することができる。
【００４４】
＜第７実施形態＞  図１２（ａ）に示す綴じ具供給装置は、同図（ｂ）に示すように識別子を記憶するＩＣチップＢｂ（上述の各実施形態におけるＩＣチップＡｂと同等のものである）を直接取り付けた綴じ具の一種であるクリップ（ダブルクリップＢａ）を１つずつ押し出すことができるクリップ取付器Ｂ１である。なお、ダブルクリップＢａは、枚葉Ｐの束である書類ＤＣを上下に挟み込む弾性変形可能なクリップ本体Ｂａ１と、このクリップ本体Ｂａ１を開閉させるツマミ部Ｂａ２からなる通常のものであり、本実施形態ではクリップ本体Ｂａ１にＩＣチップＢｂを取り付けている。クリップ取付器Ｂ１は、筐状をなし内部に複数のダブルクリップＢａを収容する綴じ具格納部Ｂ１１１を形成した本体部Ｂ１１を主体とするものである。本体部Ｂ１１の先端部は、内部の綴じ具格納部Ｂ１１１と連通してダブルクリップＢａを通過させるように開口させてある。そして、本体部Ｂ１１に設けたスライダＢ１２を前方へスライドさせることで、図１３（ａ）（ｂ）（ｃ）に順次示すように、ダブルクリップＢａを綴じ具格納部Ｂ１１１から先端部の開口を通じて１つずつ押し出すように綴じ具供給手段Ｂ１Ａを構成している。なお、この綴じ具供給手段Ｂ１Ａは、ＩＣチップＢｂを書類ＤＣに供給する機能を兼ねている。この開口の近傍における本体部Ｂ１１には、図１３に示すように、ダブルクリップＢａが通過する際にそのＩＣチップＢｂに記憶されている識別子を読み取るための記憶媒体アクセス手段として機能する第１読取器Ｂ１Ｃを設けている。この他、本体部Ｂ１１には、記憶媒体アクセス手段Ｂ１Ｃで読み取った識別子を外部のパソコン（図示省略）等へ送信するための識別子送信手段や、事後的に識別子を読み取る第２記憶媒体アクセス手段を適宜に設けることができる。
【００４５】
このようなクリップ取付器Ｂ１を使用する場合も、ダブルクリップＢａで複数の枚葉Ｐを丁合して綴じ込んだ書類ＤＣを１つの単位物品として取り扱うことができ、さらにそのダブルクリップＢａに取り付けられたＩＣチップＢｂの識別子によって書類ＤＣを一体のものとしてデータ管理することができる。特にこの場合、書類ＤＣの枚葉Ｐの数を増減した場合でも、同一のダブルクリップＢａを使用し続けることで、その書類ＤＣとＩＣチップＢｂの識別子に基づくデータとの一元管理を行うことができる。なお、このような枚葉数の増減を行う際には、手でダブルクリップＢａを操作して書類ＤＣを綴じるようにしてもよい。さらに、このようなダブルクリップＢａに直接ＩＣチップＢｂを取り付けているので、上述した各実施形態のようにＩＣチップＡｂを保持させるために別途基材を利用しなくても済むことになる。
【００４６】
＜その他の実施形態＞  なお、本発明は上述したような各実施形態に限られるものではない。例えば綴じ具たるステープルＡａに、図１４（ａ）に示すようにＩＣチップＡｂを直接取り付けて、ステープラからこのステープルＡａを射出する際にＩＣチップＡｂの書類識別子を読み取るようにすれば、第７実施形態の場合と同様に基材を用いる必要をなくすことができる。また、基材として、枚葉タイプの基材を積層したものやロールシートから切り離されるシート片タイプのもの以外にも、図１４（ｂ）に示すように、蛇腹式のシートＡｃ７０に所定間隔で基材Ａｃ７を形成し、この基材Ａｃ７にＩＣチップＡｂを設けたものを用いることもできる。また、上述の何れかの実施形態における一部の構成を他の実施形態の一部と置き換えて実施することも可能である。
【００４７】
さらに、綴じ具としては上述したようなステープルやダブルクリップに限らず、連射式クリップや目玉クリップ等の各種クリップ類、ステープラと同様に書類に打ち込んで綴じるハトメ、複数枚束ねた枚葉を製本して書類とするための製本テープや製本レールや綴じ糸、書類にあけたパンチ孔に通して綴じるための綴じ紐や綴じリングや製本ファスナ等の各種のものを適用することができ、これらのそれぞれを１つずつ外部へ放出することができる装置を本発明の綴じ具供給装置とすることができる。なお、ＩＣチップの取付位置はステープルやクリップ等の綴じ具におけるどの位置でもよく、それに応じて記憶媒体アクセス手段の位置を適宜変更することができる。また、綴じ具により綴じられる対象となる物品及びその集合である単位物品も、枚葉及び書類に限定されるものでもない。さらに、記憶媒体もＩＣチップに限定されるものでもなく、識別子を記録する機能を有していれば適宜のものを採用することができる。
【００４８】
その他、各部の具体的構成についても上記実施形態に限られるものではなく、本発明の趣旨を逸脱しない範囲で種々変形が可能である。
【図面の簡単な説明】
【００４９】
【図１】本発明の第１実施形態及びその作用を模式的に示す説明図。
【図２】本発明の第２実施形態及びその作用を模式的に示す説明図。
【図３】本発明の第３実施形態及びその作用を模式的に示す説明図。
【図４】本発明の第３実施形態の変形例及びその作用を模式的に示す説明図。
【図５】本発明の第４実施形態及びその作用を模式的に示す説明図。
【図６】本発明の第３実施形態及びその作用を模式的に示す説明図。
【図７】本発明の第５実施形態及びその作用を模式的に示す説明図。
【図８】本発明の第５実施形態に適用される基材を示す図。
【図９】本発明の第５実施形態の変形例及びその作用を模式的に示す説明図。
【図１０】本発明の第６実施形態及びその作用を模式的に示す説明図。
【図１１】本発明の第６実施形態における内部機構の説明図。
【図１２】本発明の第７実施形態及びその作用を模式的に示す説明図。
【図１３】本発明の第７実施形態における内部機構の説明図。
【図１４】その他の実施形態を示す図。
【符号の説明】
【００５０】
Ａａ…綴じ具（ステープル）
Ａｂ…記憶媒体（ＩＣチップ）
Ａｃ１，Ａｃ２，Ａｃ３，Ａｃ４，Ａｃ５，Ａｃ６…基材
Ａ１，Ａ２，Ａ３，Ａ４，Ａ４'，Ａ５，Ａ５'，Ａ６…綴じ具供給装置（ステープラ）
Ａ１Ａ，Ａ２Ａ，Ａ３Ａ，Ａ４Ａ，Ａ５Ａ，Ａ６Ａ…綴じ具供給手段
Ａ１Ｂ，Ａ２Ｂ，Ａ３Ｂ，Ａ４Ｂ，Ａ５Ｂ，Ａ６Ｂ…記憶媒体供給手段
Ａ１Ｃ，Ａ２Ｃ，Ａ３Ｃ，Ａ４Ｃ，Ａ５Ｃ，Ａ６Ｃ…記憶媒体アクセス手段
Ａ１Ｄ，Ａ３Ｄ，Ａ４Ｄ，Ａ４Ｄ'…動作連動手段
Ａ３Ｅ，Ａ３Ｅ'，Ａ６Ｅ…綴じ具供給検知手段
Ａ６Ｆ…検知手段
Ａ６Ｇ…識別子送信手段
Ａ６Ｈ…第２記憶媒体アクセス手段
Ａ１１１，Ａ２１１，Ａ３１１，Ａ４１１，Ａ５１１，Ａ６１１…綴じ具格納部（マガジン）
Ａ１３，Ａ３３…基材格納部（カートリッジ）
Ａ２１３…基材格納部（支軸）
Ａ４２２…基材格納部（収容孔）
Ａ５２２，Ａ５２２'…基材格納部（巻き出し軸）
Ａ６３１…基材格納部
Ｂａ…綴じ具（ダブルクリップ）
Ｂｂ…記憶媒体（ＩＣチップ）
Ｂ１Ａ…綴じ具供給手段
Ｂ１Ｂ…記憶媒体供給手段
Ｂ１Ｃ…記憶媒体アクセス手段
Ｂ１…綴じ具供給手段（クリップ取付器）
Ｂ１１１…綴じ具格納部
ＤＣ…単位物品（書類）
Ｐ…物品（枚葉）
ＲＳ１，ＲＳ２…ロールシート
【図１】
2005211998.tif 000003
【図２】
2005211998.tif 000004
【図３】
2005211998.tif 000005
【図４】
2005211998.tif 000006
【図５】
2005211998.tif 000007
【図６】
2005211998.tif 000008
【図７】
2005211998.tif 000009
【図８】
2005211998.tif 000010
【図９】
2005211998.tif 000011
【図１０】
2005211998.tif 000012
【図１１】
2005211998.tif 000013
【図１２】
2005211998.tif 000014
【図１３】
2005211998.tif 000015
【図１４】
2005211998.tif 000016